【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
複数の記録素子と、記録信号を入力する記録信号入力端子と、前記記録信号を転送するためのクロック信号を入力するクロック信号入力端子と、前記記録素子の駆動を制御する駆動信号を入力する駆動信号入力端子と、前記記録信号をラッチ回路にラッチするためのラッチ信号を入力するラッチ信号入力端子と、前記駆動信号に従って前記記録素子の駆動を制御するロジック回路と、前記ロジック回路に印加する電圧を入力するロジック電源入力端子とを有する素子基板であって、
前記ロジック電源入力端子と抵抗を介してドレインを接続し、接地とソースを接続し、前記記録信号入力端子と前記クロック信号入力端子と前記駆動信号入力端子と前記ラッチ信号入力端子それぞれから入力された電圧を反映した信号をゲートに入力するＮＭＯＳトランジスタを有し、前記ロジック電源入力端子、前記記録信号入力端子と前記クロック信号入力端子と前記駆動信号入力端子と前記ラッチ信号入力端子と、前記素子基板を装着した記録装置本体との接続状態に応じた信号を出力する接続状態出力回路と、
前記接続状態出力回路から出力された前記信号を前記記録装置本体に出力する接続状態出力端子と、
を有し、
前記接続状態出力端子から出力される信号は、
前記ロジック電源入力端子と前記ドレイン間と、前記ドレインと前記ソース間との分圧として出力され、
前記ゲートに入力された信号のレベルに従って出力される、前記ロジック電源入力端子に印加された電圧を反映した第１のレベルの信号か、前記記録信号入力端子と前記クロック信号入力端子と前記駆動信号入力端子と前記ラッチ信号入力端子とにそれぞれ入力された電圧を反映した第２のレベルの信号であることを特徴とする素子基板。
【請求項２】
前記接続状態出力回路は、
前記記録信号と前記クロック信号との論理積を演算する第１のＡＮＤ回路と、
前記駆動信号と前記ラッチ信号の論理積を演算する第２のＡＮＤ回路と、
前記第１のＡＮＤ回路での演算結果と前記第２のＡＮＤ回路での演算結果との論理積を演算する第３のＡＮＤ回路とを有し、
前記ＮＭＯＳトランジスタは、
前記第３のＡＮＤ回路での演算結果を前記ゲートに入力することを特徴とする請求項１に記載の素子基板。
【請求項３】
前記記録信号入力端子と前記ロジック電源入力端子との間及び前記記録信号入力端子と接地との間にダイオードが設けられていることを特徴とする請求項１又は請求項２に記載の素子基板。
【請求項４】
前記接続状態出力端子は、前記ゲートに入力された信号のレベルがＬｏｗである場合に、前記第１のレベルの信号を出力し、前記ゲートに入力された信号のレベルがＨｉｇｈである場合に、前記第２のレベルの信号を出力することを特徴とする請求項１乃至請求項３のいずれか１項に記載の素子基板。
【請求項５】
前記接続状態出力端子は、前記ロジック電源入力端子が電気的接続されていない場合には、前記ゲートに入力された信号のレベルに関わらず前記第２のレベルの信号を出力することを特徴とする請求項４に記載の素子基板。
【請求項６】
請求項１乃至請求項５のいずれか１項に記載の素子基板を有することを特徴とする記録ヘッド。
【請求項７】
前記記録ヘッドはインクジェット記録ヘッドであることを特徴とする請求項６に記載の記録ヘッド。
【請求項８】
請求項７に記載のインクジェット記録ヘッドと、インクを収容したインクタンクとを有することを特徴とするヘッドカートリッジ。
【請求項９】
請求項７に記載のインクジェット記録ヘッド又は請求項８に記載のヘッドカートリッジを装着した記録装置であって、
前記ロジック回路に印加する電圧を出力するロジック電源出力端子と、
前記接続状態出力端子から出力された信号を入力する接続状態入力端子と、
前記記録信号、前記クロック信号、前記駆動信号及び前記ラッチ信号をそれぞれ出力する複数の信号出力端子と、
前記複数の信号出力端子及び前記ロジック電源出力端子からロウレベルの信号を出力した後、前記ロジック電源出力端子からハイレベルの信号を出力し、前記接続状態入力端子に入力される前記信号がハイレベルか否かにより、前記インクジェット記録ヘッド或いは前記ヘッドカートリッジと記録装置本体との前記ロジック電源入力端子の電気的接続状態を判断する第１の判断手段と、
前記第１の判断手段により前記ロジック電源入力端子の電気的接続状態を確認した後、前記ロジック電源出力端子及び前記複数の信号端子からハイレベルの信号の出力に続いて、前記記録信号、前記クロック信号、前記駆動信号及び前記ラッチ信号のいずれか１つの信号レベルを反転することにより前記接続状態入力端子に入力される前記信号が反転するか否かを確認する処理を、前記記録信号、前記クロック信号、前記駆動信号及び前記ラッチ信号のそれぞれに対して実行することにより、前記インクジェット記録ヘッド或いは前記ヘッドカートリッジと前記記録装置本体との間の前記記録信号、前記クロック信号、前記駆動信号及び前記ラッチ信号の電気的接続状態を判断する第２の判断手段と、を有することを特徴とする記録装置。
【請求項１０】
請求項７に記載のインクジェット記録ヘッド又は請求項８に記載のヘッドカートリッジと記録装置との電気的接続状態を確認する電気的接続状態確認方法であって、
前記ロジック回路に印加する電圧を前記記録装置から出力するロジック電源出力工程と、
前記記録信号、前記クロック信号、前記駆動信号及び前記ラッチ信号を前記記録装置から出力する信号出力工程と、
前記接続状態出力端子から出力された信号を前記記録装置に入力する接続状態入力工程と、
前記信号出力工程によって前記記録信号、前記クロック信号、前記駆動信号及び前記ラッチ信号を全てロウレベルにした後、前記ロジック電源出力工程によって前記電圧をハイレベルにして、前記接続状態入力端子に入力される前記信号が前記ハイレベルか否かにより、前記インクジェット記録ヘッド或いは前記ヘッドカートリッジと記録装置本体との前記ロジック電源入力端子の電気的接続状態を確認する第１の確認工程と、
前記第１の確認工程で前記ロジック電源入力端子の電気的接続状態を確認した後、前記信号出力工程及び前記ロジック電源出力工程によってハイレベルの信号の出力に続いて、前記記録信号、前記クロック信号、前記駆動信号及び前記ラッチ信号のいずれか１つの信号レベルを反転することにより前記接続状態入力端子に入力される前記信号が反転するか否かを確認する処理を、前記記録信号、前記クロック信号、前記駆動信号及び前記ラッチ信号のそれぞれに対して実行することにより、前記インクジェット記録ヘッド或いは前記ヘッドカートリッジと前記記録装置本体との間の前記記録信号、前記クロック信号、前記駆動信号及び前記ラッチ信号の電気的接続状態を確認する第２の確認工程と、
を有することを特徴とする電気的接続状態確認方法。
【手続補正２】
【補正対象書類名】明細書
【補正対象項目名】００１２
【補正方法】変更
【補正の内容】
【００１２】
上記課題を解決するための本発明は、複数の記録素子と、記録信号を入力する記録信号入力端子と、前記記録信号を転送するためのクロック信号を入力するクロック信号入力端子と、前記記録素子の駆動を制御する駆動信号を入力する駆動信号入力端子と、前記記録信号をラッチ回路にラッチするためのラッチ信号を入力するラッチ信号入力端子と、前記駆動信号に従って前記記録素子の駆動を制御するロジック回路と、前記ロジック回路に印加する電圧を入力するロジック電源入力端子とを有する素子基板であって、
前記ロジック電源入力端子と抵抗を介してドレインを接続し、接地とソースを接続し、前記記録信号入力端子と前記クロック信号入力端子と前記駆動信号入力端子と前記ラッチ信号入力端子それぞれから入力された電圧を反映した信号をゲートに入力するＮＭＯＳトランジスタを有し、前記ロジック電源入力端子、前記記録信号入力端子と前記クロック信号入力端子と前記駆動信号入力端子と前記ラッチ信号入力端子と、前記素子基板を装着した記録装置本体との接続状態に応じた信号を出力する接続状態出力回路と、
前記接続状態出力回路から出力された前記信号を前記記録装置本体に出力する接続状態出力端子と、
を有し、
前記接続状態出力端子から出力される信号は、
前記ロジック電源入力端子と前記ドレイン間と、前記ドレインと前記ソース間との分圧として出力され、
前記ゲートに入力された信号のレベルに従って出力される、前記ロジック電源入力端子に印加された電圧を反映した第１のレベルの信号か、前記記録信号入力端子と前記クロック信号入力端子と前記駆動信号入力端子と前記ラッチ信号入力端子とにそれぞれ入力された電圧を反映した第２のレベルの信号であることを特徴とする。
【手続補正３】
【補正対象書類名】明細書
【補正対象項目名】００１４
【補正方法】削除
【補正の内容】